(57)【特許請求の範囲】
【請求項１】
略円筒状の樹脂スリーブ５と、この樹脂スリーブ５の内周に密に挿通される金属スリーブ１からなり、前記樹脂スリーブ５は挿通方向に対して順に大径内周７ａと小径内周７ｂを有し、前記金属スリーブ１は挿通方向に対して順に大径外周３ａと中間外周３ｂと小径外周３ｃを有し、樹脂スリーブ５の大径内周７ａの高さと金属スリーブ１の大径外周３ａの高さを一致させ、樹脂スリーブ５の小径内周７ｂの高さと金属スリーブ１の中間外周３ｂの高さおよび小径外周３ｃの高さの和を一致させ、樹脂スリーブ５の大径内周径と金属スリーブ１の中間外周径をほぼ一致させたことを特徴とする防食スリーブ。
【請求項２】
金属スリーブはステンレス製である請求項１記載の防食スリーブ。
【請求項３】
樹脂スリーブは硬質合成樹脂製である請求項１記載の防食スリーブ
【発明の詳細な説明】
【０００１】
【発明の属する技術分野】
本発明は、水道本管などの金属管に開孔した場合に露出する金属の防食を目的とした防食スリーブの構造に関するものである。
【０００２】
【発明が解決しようとする課題】
従来から水道本管などに分岐管を設ける場合には先ず本管に開孔を施し、開孔周面の防食のためにスリーブを密挿する技術は公知である。例えば、出願人も実開平７−２３８９２号公報に記載されたような防食スリーブを既に開示している。ところで、上記防食スリーブは金属スリーブと弾性スリーブを組み合わせたものであるが、密に接触させるために金属スリーブの断面形状を複雑にしている。従って、製造コストが高くつくうえに、金属部分を拡径するために変形時や拡径器具の引き抜き時に大きい力を必要とする。また、より従来の構造において金属スリーブと通水口および穿孔された開孔の間に若干の隙間ができた場合には、その部分に錆こぶが発生するという課題がある。
【０００３】
一方、素材をゴムで形成した密着スリーブも従来から公知であるが、この場合には開孔に打ち込むときに強すぎればゴムが座屈して施工不具合が発生する。また、穿孔は一般的には平滑面ではないので、ゴムが鋭利な箇所に接触した状態で打ち込まれればゴム表面が切削され、十分な防食効果を期待することができない場合が生ずる。
【０００４】
本発明は上述した従来の課題を解決するもので、比較的簡単な施工によって確実に防食効果を維持することができる構造のスリーブを開示することを目的とする。
【０００５】
【課題を解決するための手段】
本発明では上記目的を達成するために、略円筒状の樹脂スリーブと、この樹脂スリーブの内周に密に挿通される金属スリーブからなる二重構造とした。そして、前記樹脂スリーブは挿通方向に対して順に大径内周と小径内周を有し、前記金属スリーブは挿通方向に対して順に大径外周と中間外周と小径外周を有し、樹脂スリーブの大径内周の高さと金属スリーブの大径外周の高さを一致させ、樹脂スリーブの小径内周の高さと金属スリーブの中間外周の高さおよび小径外周の高さの和を一致させ、樹脂スリーブの大径内周径と金属スリーブの中間外周径をほぼ一致させるという手段を用いることとした。金属スリーブは、スリーブとしての剛性を確保する機能を有している。また、樹脂スリーブは水道本管に穿孔された開孔に対する密着性を確保する機能を有している。そして、金属スリーブの完全な装着によって樹脂スリーブを拡開し、これによってスリーブを本管の開孔に密着させる。
【０００６】
金属スリーブをステンレス製とすることによって、確実な防食を維持する。また、樹脂スリーブに硬質合成樹脂を採用することによって、適度な変形性と硬質度を確保する。
【０００７】
【発明の実施の形態】
以下、本発明の好ましい実施形態を、添付した図面に従って説明する。図１は本発明の防食スリーブの一部をなす金属スリーブの全体を示したもので、円筒状の金属スリーブ１は内周面２が正確に円筒形状である一方、外周面３は挿入基端側から順に段差が設けられて３段に絞られている。ここで、最大外周径から順に３ａ、３ｂ、３ｃの番号を付与する。また、基端側にはフランジ４が設けられている。金属素材は本発明の目的を達成する素材である必要があり、防食性が高いステンレスなどの素材を採用する。
【０００８】
図２は金属スリーブ１の外側に位置することになる樹脂スリーブ５の全体を示したもので、外周面６を大径外周６ａと小径外周６ｂで構成し、内周面７も大径内周７ａと小径内周７ｂで構成している。そして、樹脂スリーブ５の内側に金属スリーブ１を打ち込むことによって、本発明の防食スリーブが構成されることになる。大径外周６ａと小径外周６ｂによって形成された段は、水道本管に対して樹脂スリーブ５を挿入する際の位置決め用の段差である。
【０００９】
図３は水道本管１０に設けられた開孔１１にジグＪを用いて防食スリーブを嵌挿するところを示したもので、先ず樹脂スリーブ５と金属スリーブ１を予め一段だけ組み合わせた状態で製品として、これを開孔１１に嵌合し、続いて金属スリーブ１を樹脂スリーブ５の内側にジグのピストンなどを利用してさらに押し込む。図４が作業完了の状態を示している。この場合、金属スリーブの外周に形成された３段の段差によって３種類の外周径が形成されているが、この外周径と樹脂スリーブ５の内周面７に設けられた大径内周７ａと小径内周７ｂの関係を説明する。即ち、図３に示したように金属スリーブの外周３ａの高さＡと樹脂スリーブ５の大径内周７ａの高さａは一致し、金属スリーブの外周３ｂおよび３ｃの和の高さＢと樹脂スリーブの小径内周７ｂの高さｂが一致している。また、直径に関しては樹脂スリーブの大径内周径と金属スリーブの中間の外周径３ｂがほぼ一致している。この状態で樹脂スリーブ５に対して金属スリーブ１を押し込んで、図３の製品の状態では樹脂スリーブの大径内周７ａと金属スリーブの中間の外周径３ｂが同じなので容易に挿入、かつこれを維持することができる。続いて、さらに金属スリーブ１を押し込めば樹脂スリーブの小径内周７ｂが金属スリーブの中間外周３ｂによって、また樹脂スリーブの大径内周７ａが金属スリーブの大径外周３ａによってそれぞれ押し広げられて、外側に変形する。これによって樹脂スリーブと水道本管１０が密着した状態で防食スリーブの装着が完了する。
【００１０】
なお、金属スリーブ１を樹脂スリーブ５に対して十分に嵌挿すればフランジ４によってそれ以上の挿通は抑制されることになる。
【００１１】
ところで、樹脂スリーブ５の素材としては、金属スリーブを押し込んでも座屈しない程度の硬質さが必要である。また、金属スリーブ１を押し込んだ場合に破断しない程度の弾性あるいは変形性が必要である。例えば、硬質合成樹脂として硬質ポリプロピレンやポリエチレンなどが適切な素材の一例として挙げることができる。なお、ゴムに近い軟質の樹脂などは従来の課題で述べたように穿孔面で切削されるおそれがあるので、本発明では対象としない。
【００１２】
【発明の効果】
本発明では上述した構成を採用したので、金属スリーブによって剛性を確保し、樹脂スリーブによって密着性を確保することになり、確実に装着できる防食スリーブとすることができた。また、それぞれが密着した状態で一体化するので、がたつきがないうえ、樹脂スリーブに対する金属スリーブの押し込みも、予め樹脂スリーブと金属スリーブが一段だけ組み合わされているので、さらに一段分だけのストロークに対して力を加えるだけで足り、作業性の向上を図ることができた。
【００１３】
さらに、従来のように金属部分を拡径することがなく、金属スリーブが樹脂スリーブに予め組み合わされているため、これをガイドとして、特殊なジグを必要とせずに施工が簡単に行うことができ、引き抜き時であっても大きな力を要することなく作業を行うことができる。さらにまた、樹脂スリーブはある程度硬質であるから、従来のゴムのように打ち込みすぎて座屈するような事故を防止できると同時に、穿孔部のエッジなどで切削されて破断することもない。
【図面の簡単な説明】
【図１】本発明の防食スリーブの一部である金属スリーブの一部断面図
【図２】本発明の防食スリーブの一部である樹脂スリーブの一部断面図
【図３】防食スリーブを水道本管に装着する作業前を示す図
【図４】同、装着完了状態を示す図
【符号の説明】
１  金属スリーブ
２  内周面
３  外周面
３ａ、３ｂ、３ｃ  外周面の段差
４  フランジ
５  樹脂スリーブ
６  外周面
６ａ  大径外周
６ｂ  小径外周
７  内周面
７ａ  大径内周
７ｂ  小径内周
【図１】
0004033372.tif 000002
【図２】
0004033372.tif 000003
【図３】
0004033372.tif 000004
【図４】
0004033372.tif 000005